(57)【特許請求の範囲】
【請求項１】
少なくともデータベースを備えたオークションサーバにより実行されるオークション方法であって、
前記オークションサーバが、特定商品に対する上限価格、販売者が提示した下限価格、販売者が提示した複数個の落札限定商品数量、及び入札最大人数に関する情報を格納する前記データベースを維持する段階と、
前記オークションサーバが、複数の入札者端末から前記下限価格と前記上限価格との間で入札者が入力した前記特定商品に対する入札金額を含む入札情報を受信する段階と、
入札者数が前記入札最大人数に到達した場合、前記オークションサーバが、前記落札限定商品数量及び前記入札情報に基づいて前記入札者のうちから最低落札者を選定する段階と、
前記オークションサーバが、前記最低落札者の入札情報に基づいて全ての落札者に前記最低落札者の落札金額を販売価格として適用し、落札者端末に決済を要請する段階と、
前記オークションサーバが、前記最低落札者の落札金額から前記下限価格を差し引いた金額である剰余収益をオークション手数料として精算処理する段階と、を有することを特徴とするオークション方法。
【請求項２】
前記オークション方法は、
前記オークションサーバが、前記最低落札者に一定の恵沢を提供する処理を行う段階を更に含むことを特徴とする請求項１に記載のオークション方法。
【請求項３】
前記オークション方法は、
前記オークションサーバが、前記最低落札者の落札金額から前記下限価格を差し引いた金額に基づいて、前記販売者に対するオークション手数料を精算処理する段階を更に含むことを特徴とする請求項１に記載のオークション方法。
【請求項４】
前記決済を要請する段階は、
落札者が入札金額に対して先決済をした場合、前記オークションサーバが、前記先決済した入札金額から前記最低落札者の落札金額を差し引いた金額に対して精算処理する段階を含むことを特徴とする請求項１に記載のオークション方法。
【請求項５】
特定商品に対する上限価格、販売者が提示した下限価格、販売者が提示した複数個の落札限定商品数量、及び入札最大人数に関する情報を格納するデータベースを維持する格納部と、
複数の入札者端末から前記下限価格と前記上限価格との間で入札者が入力した前記特定商品に対する入札金額を含む入札情報を受信する受信部と、
入札者数が前記入札最大人数に到達した場合、前記落札限定商品数量及び前記入札情報に基づいて前記入札者のうちから最低落札者を選定する選定部と、
前記最低落札者の入札情報に基づいて全ての落札者に前記最低落札者の落札金額を販売価格として適用し、落札者端末に決済を要請する決済要請部と、
前記最低落札者の落札金額から前記下限価格を差し引いた金額である剰余収益をオークション手数料として精算処理するように、前記格納部、前記受信部、前記選定部、及び前記決済要請部を制御する制御部と、を備えることを特徴とするオークションサーバ。
【請求項６】
前記制御部は、
前記最低落札者に一定の恵沢を提供する処理を行うことを特徴とする請求項５に記載のオークションサーバ。
【請求項７】
前記オークションサーバは、
前記最低落札者の落札金額から前記下限価格を差し引いた金額に基づいて、前記販売者に対するオークション手数料を精算処理する精算部を更に含むことを特徴とする請求項５に記載のオークションサーバ。
【請求項８】
前記決済要請部は、
落札者が入札金額に対して先決済をした場合、前記先決済した入札金額から前記最低落札者の落札金額を差し引いた金額に対して精算処理することを特徴とする請求項５に記載のオークションサーバ。
【発明の詳細な説明】
【技術分野】
【０００１】
本発明は、販売者及び入札者が価格を自律的に決定できるようにすることによって、販売者及び落札者の両者に利益となるオークション方法及びオークションサーバに関するものである。
【背景技術】
【０００２】
ソーシャルコマースは、１日の間に商品を約５０％の割引価格で販売する。企業が事前に定めた最少の物量が売れてこそ取引が成立する方式である。ソーシャルショッピング（Ｓｏｃｉａｌ  Ｓｈｏｐｐｉｎｇ）ともいう。最少の購買物量の販売のために消費者が自発的にツイッター、フェイスブックなどのソーシャルネットワークサービス（ＳＮＳ）を用いて情報を拡散させることが特徴である。これを通じて購買者は割引の恵沢を、販売者は大量販売と広報効果を同時に得ることができる。
【０００３】
ソーシャルコマース企業と契約を結んで半値割引に乗り出した広告主は、広報効果を通じて再訪問顧客の誘致に対する期待を有する。しかし、期待値に及ばないことがしばしば発生する。クーポンの超過発行と過度な商品割引によって、広告主は一定水準以上のサービスを顧客に提供することができなくなる。これによって、クーポンを所有する顧客は一般の顧客に比べて量と質、サービス的な観点から差別待遇を受けるようになり、該当の広告主が顧客に耐えられなくなって閉店になる場合も発生する。その結果、クーポンを所有する顧客は、サービスに対する不満が高まり、該当の店は顧客が再訪問しなくなって損害だけ受けて終わる場合が多い。これは特に、ソーシャルコマース企業が、広告主が顧客に安定的にサービスを提供できる商品に対する適正価格を保証できないためである。
【０００４】
従って、販売者（広告主）及び入札者が適正価格を自律的に形成することによって、販売者（広告主）、入札者、サービス企業の全てに利益となるオークションシステムの導入が必要とされている。
【発明の概要】
【発明が解決しようとする課題】
【０００５】
本発明は、上記従来の問題点に鑑みてなされたものであって、本発明の目的は、販売者が提示した下限価格と商品に対する上限価格の間で入札者が入札に参加できるようにすることによって、販売者及び入札者が商品価格を自律的に決定できるようにし、最低落札者の落札金額を全ての落札者に販売価格として適用することによって、販売者及び落札者の両者に利益となるオークション方法及びオークションサーバを提供することにある。
【課題を解決するための手段】
【０００６】
上記目的を達成するためになされた本発明の一態様による少なくともデータベースを備えたオークションサーバにより実行されるオークション方法は、前記オークションサーバが、特定商品に対する上限価格、販売者が提示した下限価格、販売者が提示した複数個の落札限定商品数量、及び入札最大人数に関する情報を格納する前記データベースを維持する段階と、前記オークションサーバが、複数の入札者端末から前記下限価格と前記上限価格との間で入札者が入力した前記特定商品に対する入札金額を含む入札情報を受信する段階と、入札者数が前記入札最大人数に到達した場合、前記オークションサーバが、前記落札限定商品数量及び前記入札情報に基づいて前記入札者のうちから最低落札者を選定する段階と、前記オークションサーバが、前記最低落札者の入札情報に基づいて全ての落札者に前記最低落札者の落札金額を販売価格として適用し、落札者端末に決済を要請する段階と、前記オークションサーバが、前記最低落札者の落札金額から前記下限価格を差し引いた金額である剰余収益をオークション手数料として精算処理する段階と、を有することを特徴とする。
【０００７】
上記目的を達成するためになされた本発明の一態様によるオークションサーバは、特定商品に対する上限価格、販売者が提示した下限価格、販売者が提示した複数個の落札限定商品数量、及び入札最大人数に関する情報を格納するデータベースを維持する格納部と、複数の入札者端末から前記下限価格と前記上限価格との間で入札者が入力した前記特定商品に対する入札金額を含む入札情報を受信する受信部と、入札者数が前記入札最大人数に到達した場合、前記落札限定商品数量及び前記入札情報に基づいて前記入札者のうちから最低落札者を選定する選定部と、前記最低落札者の入札情報に基づいて全ての落札者に前記最低落札者の落札金額を販売価格として適用し、落札者端末に決済を要請する決済要請部と、前記最低落札者の落札金額から前記下限価格を差し引いた金額である剰余収益をオークション手数料として精算処理するように、前記格納部、前記受信部、前記選定部、及び前記決済要請部を制御する制御部と、を備えることを特徴とする。
【発明の効果】
【０００８】
本発明によれば、販売者が商品の下限価格を提示できるようにすることによって、商品に対するサービスの保証が可能になる。
また、入札者は、販売者が提示した下限価格と商品に対する上限価格の間で入札に参加できるので、商品の上限価格よりも低い価格で商品の購入が可能になる。
一方、入札者のうちからオークション条件に応じて最低落札者を選定し、最低落札者の落札金額を全ての落札者に販売価格として適用することによって、入札者は自分の入札金額よりも低い金額で商品を購入することになる。従って、顧客の興味を誘発することが可能になる。また、落札者は１人ではなく多数であるため、多くの入札者が割引の恵沢を受けることができる。
【図面の簡単な説明】
【０００９】
【図１】本発明の一実施形態によるオークションシステムを説明する図面である。
【図２】本発明の一実施形態によるオークションサーバのブロック構成図である。
【図３】本発明の一実施形態によるオークション方法のフローチャートである。
【図４】本発明の第１実施例を示す図面である。
【図５】本発明の第２実施例を示す図面である。
【図６】本発明の第３実施例を示す図面である。
【発明を実施するための形態】
【００１０】
以下、本発明のオークション方法及びオークションサーバを実施するための形態の具体例を、図面を参照しながら詳細に説明する。
【００１１】
本明細書で用いる用語は、本発明の機能を考慮しながら可能な限り現在広く用いられる一般的な用語を選択したが、これは当分野に従事する技術者の意図又は判例、新たな技術の出現などによって変わることがある。また、特定の場合は、出願人が任意に選定した用語もあり、この場合、該当する発明の説明の部分で詳細にその意味を記載する。従って、本明細書で用いる用語は、単純な用語の名称ではなく、その用語が有する意味と本発明の全般に亘る内容に基づいて定義されるべきである。
【００１２】
明細書全体において、ある部分がある構成要素を「含む」とする場合、これは特別な反対の記載がない限り他の構成要素を除外することではなく、他の構成要素を更に含むことができることを意味する。また、明細書に記載された「…部」、「モジュール」などの用語は、少なくとも１つの機能や動作を処理する単位を意味し、これはハードウェア又はソフトウェアで具現するか、或いはハードウェアとソフトウェアの結合によって具現することができる。
【００１３】
図１は、本発明の一実施形態によるオークションシステムを説明する図面である。
【００１４】
図１に示したように、本発明の一実施形態によるオークションシステムは、販売者が販売しようとする商品に対する下限価格を提示する。明細書全体において、下限価格とは、販売者が自分の商品に対して安定的なサービス（例えば商品の量、質）を保証できる最低限の価格を意味する。
【００１５】
本実施形態によると、入札者は特定商品に対する上限価格と下限価格との間で入札に参加する。明細書全体において、上限価格とは、特定商品に対して入札可能な最高価格を意味する。上限価格は、特定商品に対する正常価格を含み得る。また、上限価格は、特定商品の正常価格から一定部分割引された価格であってもよい。上限価格は、オークションサーバ又は販売者が決めることができる。
【００１６】
本実施形態によると、入札者のうちから特定オークション条件を満たす最低落札者が選定される。明細書全体において、最低落札者とは、特定オークション条件を満たした多数の落札者のうちから最低入札金額を提示して落札を受けた落札者を意味する。例えば落札者が５０人の場合、落札者が提示した入札金額のうち、最高入札金額が５０万ウォン、最低入札金額が３０万ウォンである場合、３０万ウォンの入札金額を提示して落札を受けた落札者が最低落札者となる。
【００１７】
本実施形態によると、最低落札者は１人であってもよいが、同一の入札金額を提示した人が多数の場合、最低落札者は複数人とすることもできる。
【００１８】
また、本実施形態によると、最低落札者の落札金額を全ての落札者の販売価格として適用することができる。即ち、落札者は自分の入札金額よりも低い金額で商品を購買することができる。
【００１９】
一方、最低落札者の落札金額（又は販売価格）から下限価格を差し引いた金額は、剰余収益になり得る。販売者は下限価格さえ保証が得られると自分のサービスを安定的に提供することができるため、下限価格よりも高く販売価格が形成される場合、剰余収益が発生することになる。この場合、剰余収益の全部又は一部をオークション手数料にすることができる。即ち、販売者は自分の下限価格から別途のオークション手数料を負担する必要がない。つまり、販売者は下限価格分の基本収益の保証が得られるので、顧客に安定的なサービスを提供することができるようになる。
【００２０】
以下、販売者及び落札者の両者に利益となり得るオークションサーバ及びオークション方法に関して図２及び図３を参照して詳察する。
【００２１】
図２は、本発明の一実施形態によるオークションサーバのブロック構成図である。
【００２２】
図２に示したように、オークションサーバ１００は、格納部１１０、受信部１２０、選定部１３０、決済要請部１４０、精算部１５０、制御部１６０を含む。しかし、図示した構成要素の全てが必須構成要素ではない。図示した構成要素より多くの構成要素によってオークションサーバ１００を具現することもでき、それより少ない構成要素によってもオークションサーバ１００を具現することができる。なお、これらの構成要素は、種々のハードウェア及びシフトウェアで構成されたコンピュータシステムの機能ブロックを示したものであって、インターネット等の通信ネットワーク、通信ネットワークと接続する通信制御部、オークションサーバ内の管理端末、各種情報を格納するデータベース、通信ネットワークに接続されてオークションサーバと情報の授受を行う販売者や入札者又は落札者の端末等、これらの機能を実現するために必要な一般的な機器又は装置については図示せず、またその説明は省略する。
【００２３】
格納部１１０は、特定商品に対する上限価格、販売者が提示した下限価格、及びその他のオークション条件に関する情報を格納するデータベースを維持する。第１の実施例によると、オークション条件は、落札限定人員、落札限定商品数量を含む。明細書全体において、落札限定人員とは、入札者のうちの落札を受けることができる制限人員数を意味する。例えば、落札限定人員が５０人である場合、入札者が１００人であっても５０人だけが落札を受けることが可能である。また、明細書全体において、落札限定商品数量とは、落札することができる制限商品の個数を意味する。例えば、落札限定数量が５０個である場合、入札者の数と関係なく５０個の商品だけを落札することが可能である。
【００２４】
第２の実施例によると、オークション条件は、落札比率を含む。明細書全体において、落札比率とは、全体入札者のうちの落札を受けることができる人員の比率を意味する。例えば、落札比率が５０％の場合、全体入札者が１００人であれば、１００人の５０％である５０人だけが落札を受けることが可能である。
【００２５】
第３の実施例によると、オークション条件は、入札最大人数、落札限定人員、及び落札限定商品数量を含む。明細書全体において、入札最大人数とは、入札に参加できる入札者数の最大値を意味する。即ち、入札最大人数が１００人である場合、入札者が１００人に到達すると、他の者は入札に参加できなくなり、オークションは終了する。
【００２６】
本実施形態によると、受信部１２０は、入札者から入札金額を含む入札情報を受信する。入札情報には、入札金額、商品の数量、入札者情報、商品情報などが含まれる。入札者は、販売者が提示した下限価格と特定商品に対する上限価格との間で入札金額を提示できる。この場合、入札者は自分の端末を通じてオークションサーバ１００に接続することによって、入札金額を提示できる。
【００２７】
本実施形態によると、選定部１３０は、入札者のうちから最低落札者を選定する。この場合、選定部１３０は、予め設定された入札時間が経過した場合に最低落札者を選定することができるが、入札者の数が入札最大人数に到達した場合にオークションを終了して最低落札者を選定することもできる。
【００２８】
本実施形態によると、選定部１３０は、落札限定人員（又は落札限定商品数量）及び入札情報に基づいて最低落札者を選定できる。また、他の実施形態によると、選定部１３０は、落札比率及び入札情報に基づいて入札者のうちから最低落札者を選定できる。
【００２９】
一方、本実施形態によると、選定部１３０は、同一入札金額を提示した落札者が複数の場合、入札時刻を更に考慮して最低落札者を選定できる。即ち、最低入札金額を提示した落札者が複数である場合、選定部１３０は先着順で最低落札者を決めることもできる。この場合、最低落札者は１人であってもよく、２人以上であってもよい。
【００３０】
本実施形態によると、決済要請部１４０は、最低落札者の入札情報に基づいて、全ての落札者に最低落札者の落札金額を販売価格として適用し、決済を要請する。この場合、決済要請部１４０は、落札者の端末に決済を要請する。端末は、多様な形態で具現することができ、固定端末だけでなく移動端末も含むことができる。例えば、端末には、デスクトップコンピュータ、ノートパソコン、タブレットＰＣ、携帯電話、スマートフォン（ｓｍａｒｔ  ｐｈｏｎｅ）、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）、ナビゲーション装置、ｅ−ｂｏｏｋ端末などが含まれる。
【００３１】
一方、落札者が入札金額に対して先決済をした場合、決済要請部１４０は、先決済した入札金額から最低落札者の落札金額を差し引いた金額に対して精算処理をすることもできる。これらの決済に関する情報は格納部１１０を介してデータベースに格納される。
【００３２】
本実施形態によると、精算部１５０は、最低落札者の落札金額から下限価格を差し引いた金額に基づいて、販売者に対するオークション手数料を精算処理する。オークション手数料とは、販売者が、自分の商品に対するオークションを、オークションサーバ１００を通じて行うことによって、販売者がオークションサーバ（又はオークションサーバ管理企業）に支払う一定の手数料を意味する。オークション手数料は、広告手数料であってもよい。本実施形態によると、オークション手数料は、最低落札者の落札金額（又は共通の販売価格）から下限価格を差し引いた金額の全部又は一定部分であってもよい。これらの精算に関する情報は格納部１１０を介してデータベースに格納される。
【００３３】
制御部１６０は、格納部１１０、受信部１２０、選定部１３０、決済要請部１４０、精算部１５０を全般的に制御する。また、制御部１６０は、最低落札者に一定の恵沢を提供する処理を行う。一定の恵沢は、商品の無料購入、ポイントの提供、割引、名誉の提供（例えばオンライン上での特定地位の提供）等の恵沢を含むことができ、これらの情報は格納部１１０を介してデータベースに格納される。
【００３４】
本実施形態によると、制御部１６０は、落札者の入札金額から販売価格を差し引いた利益情報を落札者に提供することができる。利益情報は、最低落札者の落札金額を全ての落札者に販売価格として適用することによって、落札者が入札金額に比べて実質的に得られる利益額に関する情報を含むことができる。
【００３５】
一方、制御部１６０は、時間の経過に応じてリアルタイムで平均入札金額、入札順位、総入札者数などの情報を入札者に提供できる。入札者が最低落札者になる場合、入札者は一定の恵沢の提供を受けることができ、入札者が落札を受けるためには所定のオークション条件を満たさなければならないため、平均入札金額、入札順位、総入札者数などに関する情報は入札者に非常に有用である。
【００３６】
この場合、制御部１６０は、特定入札者に対してのみ平均入札金額、入札順位、総入札者数の情報を提供することもできる。特定入札者は、アイテムなどを購入した有料会員であってもよい。
【００３７】
一方、本実施形態によると、入札者が下限価格と上限価格との間以外の範囲で入札金額を提示した場合、制御部１６０は、該当入札者に対して自動で脱落されるようにすることができる。他の実施形態によると、制御部１６０は、下限価格と上限価格との間以外の範囲に対して入札金額が入力されないように制御することもできる。
【００３８】
以下では、オークションサーバ１００の各構成を用いて販売者及び落札者の両者に利益となるオークション方法に関して図３を参照して詳察する。
【００３９】
図３は、本発明の一実施形態によるオークション方法のフローチャートである。
【００４０】
図３に示したように、本発明の一実施形態によると、オークションサーバ１００は、特定商品に対する上限価格、販売者が提示した下限価格、及びその他のオークション条件に関する情報を格納するデータベースを維持する［ステップＳ３１０］。その他のオークション条件は、落札限定人員、落札限定商品数量、落札比率、入札最大人数などを含むことができる。
【００４１】
特定商品とは、オークションの対象になる商品であって、有形の商品だけでなく無形の商品も含む。例えば、特定商品は、ソーシャルコマースサイトで販売される共同購買商品、検索広告に用いられるキーワード、マッサージや皮膚管理などのようなサービス商品なども含むことができる。
【００４２】
本実施形態によると、オークションサーバ１００は、複数の入札者端末から下限価格と上限価格との間で入札者が入力した特定商品に対する入札金額を含む入札情報を受信する［ステップＳ３２０］。即ち、入札者は、下限価格、上限価格、その他のオークション条件（例えば、落札限定人員、落札限定商品数量、落札比率、入札最大人数等）を考慮して自分の所望の入札金額を提示する。
【００４３】
本実施形態によると、オークションサーバ１００は、入札者のうちから最低落札者を選定する［ステップＳ３３０］。最低落札者を選定する方法は多様であってもよい。第１の実施例によると、予め設定された入札時間が経過した場合、オークションサーバ１００は、落札限定人員（又は落札限定商品数量）及び入札情報に基づいて入札者のうちから最低落札者を選定する。例えば、落札限定人員が５００人であって予め設定された入札時間の間に７００人が入札に参加した場合、入札金額が高い順で５００人までが落札を受けることができる。この時、オークションサーバ１００は、５００位で落札を受けた落札者を最低落札者として選定する。
【００４４】
第２の実施例によると、予め設定された入札時間が経過した場合、オークションサーバ１００は、落札比率及び入札情報に基づいて最低落札者を選定する。例えば、落札比率が６０％であって予め設定された入札時間の間に１０００人が入札に参加した場合、入札金額が高い順で６００人（１０００人×０．６）までが落札を受けることができる。この時、オークションサーバ１００は、６００位で落札を受けた落札者を最低落札者として選定する。
【００４５】
第３の実施例によると、入札者の数が入札最大人数に到達した場合、オークションサーバ１００は、入札を終了し、落札限定人員（又は落札限定商品数量）及び入札情報に基づいて入札者のうちから最低落札者を選定する。例えば、入札最大人数が１０００人である場合、入札者が１０００人に到達すると、オークションサーバ１００は入札を終了して最低落札者を選定する。例えば、落札限定人員が６００人の場合、入札が終了した時点で、入札金額が高い順から６００人までが落札を受けることができる。また、落札限定商品数量が６００個の場合、入札が終了した時点で、入札金額が高い順から６００個までが落札を受けることができる。
【００４６】
この時、オークションサーバ１００は、６００位で落札を受けた落札者を最低落札者として選定する。
【００４７】
本実施形態によると、オークションサーバ１００は、最低落札者の入札情報に基づいて全ての落札者に最低落札者の落札金額を販売価格として適用し、落札者に決済を要請する［ステップＳ３４０］。即ち、複数の落札者に最低落札金額を共通の販売価格として適用する。従って、落札者は自分が入札時に提示した金額よりも低い金額で商品を購入することができる。
【００４８】
一方、落札者が入札金額に対して先決済をした場合、オークションサーバ１００は、先決済した入札金額から最低落札者の落札金額を差し引いた金額に対して精算処理をすることもできる。
【００４９】
本実施形態によると、最低落札者の落札金額は、入札者の入札金額、落札限定人員（又は落札限定商品数量）、落札比率などによって決定されるものであるため、販売者及び入札者が商品販売価格の形成に寄与することが可能になる。
【００５０】
また、落札者が１人である一般的なオークションとは異なり、落札者が複数であってもよい。従って、より多くの人が落札による恵沢を受けるようになる。
【００５１】
本実施形態によると、オークションサーバ１００は、最低落札者に一定の恵沢を提供する処理を行う［ステップＳ３５０］。例えば、オークションサーバ１００は、最低落札者に選定された入札者に販売価格を「０ウォン」にして決済を要請する。また、オークションサーバ１００は、最低落札者にオークションに参加できる特定ポイントを提供することもできる。一方、オークションサーバ１００は、最低落札者の落札金額から一定部分割引された金額で最低落札者に決済を要請することもできる。例えば、最低落札者の落札金額が５万ウォンである場合、オークションサーバ１００は、他の落札者には販売価格として５万ウォンの決済を要請しながら、最低落札者には販売価格として５０％割引された２万５千ウォンの決済を要請することも可能である。
【００５２】
従って、本実施形態によると、入札者は多様な恵沢の提供を受けるために、入札時に最低落札者に選定されることが可能な入札金額を考慮しながら入札金額を提示できるので、入札者の興味を誘発することができる。
【００５３】
一方、本実施形態によると、落札者のうち、最低入札金額を提示した者が複数の場合がある。この場合、オークションサーバ１００は、先着順によって一定の恵沢の提供を受けることができる最低落札者を選定できる。例えば、５００人が落札を受け、このうち同一の最低入札金額である３万ウォンを提示した落札者が１０人である場合、オークションサーバ１００は、入札時刻を更に考慮して（例えば先着順に）最低落札者を選定することもできる。最低入札金額３万ウォンを提示した落札者１０人のうちのＡが最も早く入札に参加した場合、オークションサーバ１００は、Ａに一定の恵沢を提供する。そしてオークションサーバ１００は、残りの９人に対しては特別な恵沢の提供なしに販売価格として３万ウォンの決済を要請する。
【００５４】
また、本実施形態によると、恵沢の提供を受けることができる最低落札者を特定人員に制限することもできる。例えば、最低落札者を３人に制限した場合、オークションサーバ１００は、最低入札金額を提示した落札者のうちから先着順に３人を最低落札者に選定し、一定の恵沢を提供する。
【００５５】
本実施形態によると、オークションサーバ１００は、最低落札者の落札金額（又は販売価格）から下限価格を差し引いた金額に基づいて販売者に対するオークション手数料を精算処理する［ステップＳ３６０］。例えば、特定商品に対する上限価格が５万ウォン、販売者が提示した下限価格が２万ウォンであり、最低落札者の落札金額が２万５千ウォンであった場合、オークションサーバ１００は、最低落札者の落札金額である２万５千ウォンから下限価格である２万ウォンを差し引いた５千ウォンに基づいてオークション手数料を精算する。
【００５６】
この場合、オークションサーバ１００は、最低落札者の落札金額（又は販売価格）から下限価格を差し引いた金額全部をオークション手数料として精算することもでき、一定部分のみをオークション手数料として精算することもできる。例えば、落札者が５００人である場合、オークションサーバ１００は、２５０万ウォン（５００×５千ウォン）全部をオークション手数料として精算する。一方、オークションサーバ１００は、２５０万ウォンのうちの８０％（２００万ウォン）をオークション手数料とし、２０％（５０万ウォン）は販売者に返還することもできる。
【００５７】
従って、本実施形態によると、販売者は、下限価格を決定する際にオークション手数料などを考慮しないことも可能である。即ち、販売者は下限価格によって特定商品の品質が保証されることのみを考慮するために、落札者に安定的なサービスを提供できるようになる。従って、販売者は落札者から商品に対する良い評価を得ることができ、落札者の再購入、再訪問を誘導することができる。一方、落札者も良質の商品提供の保証を受けることができるので、望ましくないことが発生するのを防止できるようになり、結局、販売者及びオークションサーバ１００に対する信頼度が高くなる。
【００５８】
また、本実施形態によると、下限価格にはオークション手数料が含まれないため、販売者はより低い金額を下限価格として提示できるようになる。従って、入札者は更に少ない金額で入札に参加できるようになり、落札者も比較的低い金額で良質の商品を購入することができるようになる。
【００５９】
本実施形態によると、オークションサーバ１００は、落札者の入札金額から販売価格を差し引いた利益情報を落札者に提供する［ステップＳ３７０］。販売価格は最低落札者の落札金額になるため、一般的に販売価格は落札者の入札金額より低くなる。従って、オークションサーバ１００は、実際の入札金額と決済要請された販売価格の差額に関する情報を落札者に提供することによって、販売者及びオークションサーバ１００に対する広告効果をより高めることができる。
【００６０】
図４は、本発明の第１実施例を示す図面である。
【００６１】
図４に示したように、本実施例によると、販売者は、携帯電話を、オークションを通じて販売しようとする。この時、販売者は、商品の品質、商品の調達能力などを考慮して落札限定人員（又は落札限定商品数量）及び下限価格を提示する。例えば、販売者が、上限価格が７０万ウォンの携帯電話に対して、落札限定人員を１００人とし、下限価格を３０万ウォンに提示した場合、入札者は下限価格の３０万ウォンと上限価格の７０万ウォンとの間で入札に参加する。また、販売者は落札限定人員の代わりに落札限定商品数量を１００個として提示することもできる。
【００６２】
予め設定された入札時間が経過した場合、オークションサーバ１００は、落札限定人員（又は落札限定商品数量）及び入札情報に基づいて最低落札者を選定する。落札限定人員が１００人であるため（又は落札限定商品数量が１００個であるため）、オークションサーバ１００は、入札金額の高い順から１００人（又は１００個の商品）までを落札者（又は落札商品）として選定する。そしてオークションサーバ１００は、落札者１００人のうちから最低入札金額を提示した落札者（ＩＤ：ａｎｇｅｌ）を最低落札者として選定し、最低落札者（ＩＤ：ａｎｇｅｌ）の落札金額である３７万ウォンを全ての落札者に対する販売価格として決定する。従って、落札者は自分の入札金額よりも低い価格で携帯電話を購入することができる。
【００６３】
一方、オークションサーバ１００は、最低落札者には別途の恵沢を更に提供する。例えば、最低落札者（ＩＤ：ａｎｇｅｌ）は、無償で携帯電話を購入したり、割引の恵沢を受けて２０万ウォンで携帯電話を購入したり、ポイント提供の恵沢を受けたりすることができる。
【００６４】
従って、入札参加時に入札者はオークションにおいて落札を受けながら、同時に自分が最低落札者になれる入札金額を考慮するようになるため、入札者に面白さを提供することができる。
【００６５】
一方、オークションサーバ１００は、落札者に利益情報を提供することもできる。例えば、入札金額が１位の落札者（ＩＤ：ｂａｎａｎａ）の場合、入札金額は６９万ウォンであったが、販売価格が３７万ウォンになったため、３２万ウォンの利益を得たことになる。従って、オークションサーバ１００は、落札者（ＩＤ：ｂａｎａｎａ）の端末に「Ａ携帯電話：販売価格３７万ウォンで落札されました。利益額は３２万ウォンです。決済に進みますか？」などの利益情報を提供することができる。
【００６６】
本実施例による場合、落札限定人員１００人（又は落札限定商品数量１００個）を超える１０１位からは落札を受けることができなかったため、携帯電話を購買することができない。一方、本実施例によると、オークションサーバ１００は、入札可能な時刻情報（例えば、００：０３：０５）を入札者に提供することもできる。
【００６７】
また、オークションサーバ１００は、最低落札者の落札金額である３７万ウォンから販売者が提示した下限価格である３０万ウォンを差し引いた金額｛１００人×（３７万ウォン−３０万ウォン）＝７００万ウォン｝に基づいて、販売者に対するオークション手数料を精算処理する。
【００６８】
一方、予め設定された入札時間の間に入札者の数が落札限定人員（又は落札限定商品数量）に到達しない場合、本実施例によると、全ての入札者が落札者になることもできるが、他の実施例によると、オークション自体が取り消しになり、落札者が誰もいない場合と同一とすることもできる。
【００６９】
図５は、本発明の第２実施例を示す図面である。
【００７０】
図５に示したように、本実施例によると、オークション方法はソーシャルコマースなどでも用いることができる。例えば、販売者○○レストランが、ステーキ＋ワインを、ソーシャルコマースサイトを通じて共同購買方式で販売しようとする場合に、販売者は商品の品質、商品の調達能力などを考慮して落札比率及び下限価格を提示する。例えば、販売者が、上限価格が５万ウォンであるステーキ＋ワインに対して、落札比率を７０％にし、下限価格を２万ウォンに提示した場合、入札者は下限価格２万ウォンと上限価格５万ウォンとの間で入札に参加する。
【００７１】
即ち、一般的なソーシャルコマースの場合、ソーシャルコマース企業側で特定の販売価格を一方的に提示すると、購買者は単に購買可否のみを決定するようになるのに対し、本実施例によると、販売者及び購買者が直接商品価格の形成に寄与するようになる。従って、本実施例によると、商品の品質を保証しながら、販売者及び購買者の全てが満足できる価格を形成することができる。
【００７２】
予め設定された入札時間が経過した場合、オークションサーバ１００は、落札比率及び入札情報に基づいて最低落札者を選定する。落札比率が７０％であるため、入札に参加した入札者のうちの入札金額が高い順から７０％に該当する入札者までを落札者とする。この時、オークションサーバ１００は、７０％に該当する落札者（ＩＤ：ａｎｇｅｌ）を最低落札者として選定し、最低落札者（ＩＤ：ａｎｇｅｌ）の落札金額である２万７千ウォンを全ての落札者に対する販売価格として決定する。従って、落札者は自分の入札金額よりも低い価格でクーポン（ステーキ＋ワイン）を購入することができる。
【００７３】
一方、オークションサーバ１００は、最低落札者に別途の恵沢を更に提供する。例えば、最低落札者（ＩＤ：ａｎｇｅｌ）は、無償でクーポンを購入したり、割引の恵沢を受けて１万ウォンでクーポンを購入したり、ポイントの提供を受けたりすることができる。
【００７４】
一方、オークションサーバ１００は、落札者に利益情報を提供することもできる。例えば、入札金額が１位の落札者（ＩＤ：ｂａｎａｎａ）の場合、入札金額は４万９千ウォンであったが、販売価格が２万７千ウォンになったため、２万２千ウォンの利益を得たことになる。従って、オークションサーバ１００は、落札者（ＩＤ：ｂａｎａｎａ）の端末に「○○レストランクーポン（ステーキ＋ワイン）：２万７千ウォンで落札！！／利益額２万２千ウォン／決済に進みますか？」などの利益情報を提供することができる。
【００７５】
本実施例による場合、落札比率７０％を超える残りの３０％の入札者は落札を受けることができなかったためにクーポンの購買ができなくなる。一方、本実施例によると、オークションサーバ１００は、入札可能な時刻情報（例えば、００：１０：５０）を入札者に提供することもできる。
【００７６】
また、オークションサーバ１００は、最低落札者の落札金額である２万７千ウォンから販売者が提示した下限価格である２万ウォンを差し引いた金額に基づいて、販売者にオークション手数料を精算処理する。この時、オークションサーバ１００は、最低落札者の落札金額から下限価格を差し引いた金額のうちの一部のみをオークション手数料として精算し、残り部分を○○レストランに返還する処理を行う。この場合、○○レストランは、基本的に落札者に安定的なサービスを提供できる２万ウォンに一定の金額を更にプラスしてサービスを提供できるので、商品（サービス）の質を高めることができる。
【００７７】
図６は、本発明の第３実施例を示す図面である。
【００７８】
図６に示したように、本実施例によると、オークション方法は広告入札などでも用いることができる。例えば、検索広告提供企業（例えばポータルサイトなど）は、特定キーワードに対して入札を進める。この時、検索広告提供企業は、サービスの品質及びキーワード当りの提供可能な広告数などを考慮して落札限定人員（又は落札限定商品数量）及び下限価格を提示する。例えば、ＣＰＣ方式（Ｃｏｓｔ  Ｐｅｒ  Ｃｌｉｃｋ：使用者が広告をクリックして広告主のウェブサイトに移動した場合にのみ広告主が代金を支払う方式）によって提供されるキーワード広告において、販売者が、上限価格が２０００ウォンであるＡキーワード＋Ｂキーワードに対して、落札限定人員を１０人とし（又は落札限定商品数量を１０個とし）、下限価格を３００ウォンにした場合、入札者は下限価格３００ウォンと上限価格２０００ウォンとの間で入札に参加する。
【００７９】
一方、本実施例によると、販売者及びオークションサーバ１００のうちの少なくとも１つによって入札最大人数を設定することができる。入札者数が入札最大人数に到達した場合、入札は終了する。例えば、入札最大人数が５０人である場合、入札者数が５０人に到達すると、入札は終了してこれ以上他の者は入札に参加できなくなる。
【００８０】
本実施例によると、入札者が５０人に到達した場合、オークションサーバ１００は、落札限定人員（又は落札限定商品数量）及び入札情報に基づいて最低落札者を選定する。落札限定人員が１０人（又は落札限定商品数量が１０個）であるため、オークションサーバ１００は、入札金額の高い順から１０人までを落札者（又は落札商品）として選定する。そしてオークションサーバ１００は、落札者１０人（又は落札商品１０個）のうちから最低入札金額を提示した落札者（ＩＤ：ａｎｇｅｌ）を最低落札者として選定し、最低落札者（ＩＤ：ａｎｇｅｌ）の落札金額である５００ウォンを全ての落札者に対する販売価格として決定する。従って、落札者は自分の入札金額よりも低い価格でキーワード広告をすることができる。
【００８１】
一方、オークションサーバ１００は、最低落札者に別途の恵沢を更に提供する。例えば、最低落札者（ＩＤ：ａｎｇｅｌ）は、無償でキーワードを購入したり、割引の恵沢を受けて２００ウォンでキーワード広告をしたり、ポイントの提供を受けたりすることができる。
【００８２】
一方、オークションサーバ１００は、落札者に利益情報を提供することもできる。例えば、入札金額が１位の落札者（ＩＤ：ｂａｎａｎａ）の場合、入札金額は１８００ウォンであったが、販売価格が５００ウォンになったため、クリック当り１３００ウォンの利益を得たことになる。従って、オークションサーバ１００は、落札者（ＩＤ：ｂａｎａｎａ）の端末に「Ａキーワード＋Ｂキーワード５００ウォンで落札／利益額１３００ウォン／決済に進みますか？」などの利益情報を提供することができる。
【００８３】
一方、本実施例によると、オークションサーバ１００は、現在の入札者数に関する情報（例えば現在の入札者数：４０人）を入札者に提供する。これは入札者数が入札最大人数に到達する場合に入札が終了することがあるため、入札者が入札時期を把握して適切なタイミングに入札に参加できるようにするためである。
【００８４】
また、オークションサーバ１００は、最低落札者の落札金額である５００ウォンから販売者が提示した下限価格である３００ウォンを差し引いた金額に基づいて、販売者にオークション手数料を精算処理する。一方、本発明の一実施形態によると、オークションサーバ１００は、アイテムなどを購入した有料会員に、入札順位による入札金額情報、平均入札額、入札者数などの情報を提供することもできる。
【００８５】
上述した本実施形態による方法は、プログラムが記録された記録媒体にコンピュータ読み取り可能なコードによって具現することができる。コンピュータ読み取り可能な記録媒体は、コンピュータシステムによって読み出しが可能なデータが格納される全ての種類の記録装置を含む。コンピュータ読み取り可能な記録媒体の例としては、ＲＯＭ、ＲＡＭ、ＣＤ−ＲＯＭ、磁気テープ、フロッピー（登録商標）ディスク、光データ格納装置などがあり、またキャリア波を介した（例えばインターネットを通じた転送）形態で具現することも含む。
【００８６】
以上、図面を参照しながら本発明の実施形態について詳細に説明したが、本発明は、上述の実施形態に限定されるものではなく、本発明の技術的範囲から逸脱しない範囲内で多様に変更実施することが可能である。
【符号の説明】
【００８７】
１００    オークションサーバ
１１０    格納部
１２０    受信部
１３０    選定部
１４０    決済要請部
１５０    精算部
１６０    制御部
【図１】
0005521062.tif 000002
【図２】
0005521062.tif 000003
【図３】
0005521062.tif 000004
【図４】
0005521062.tif 000005
【図５】
0005521062.tif 000006
【図６】
0005521062.tif 000007